(57)【要約】【課題】面ファスナー構造を有し、清掃具の基台と着脱可能とした清掃用布帛であって、装着基台の種類の関係なく、簡便に取付けを可能とした清掃具を提供する。【解決手段】係合機能を有する清掃用布帛およびそれを用いた清掃具において、清掃用布帛のループパイル部を清掃具の装着基台の背面に折り込み、別途設けた面ファスナー部材テープと係止して装着した清掃具。【選択図】図１
2004041603.tif 000002
【特許請求の範囲】
【請求項１】
清掃用基台に装着して使用される清掃用布帛において、該布帛の清掃面（Ａ）と同一面上に面ファスナーの係合部材を有する係合面（Ｂ）が存在し、該係合面（Ｂ）は清掃面（Ａ）に対し、（Ｂ）（Ａ）（Ｂ）の配列状態で形成されてなる清掃用布帛。
【請求項２】
係合面（Ｂ）にループパイルを有する請求項１に記載の清掃用布帛。
【請求項３】
清掃用布帛の地組織中に熱融着繊維が含有されている請求項１または請求項２に記載の清掃用布帛。
【請求項４】
請求項１〜３のいずれか１項に記載の清掃用布帛が清掃用基台に装着された清掃具であって、係合面（Ｂ）を該清掃用基台の背面へ折り込み、係合面（Ｂ）に対して係合性を有する面ファスナー部材（Ｃ）とを係止することにより、布帛を基台に固定してなる清掃具。
【発明の詳細な説明】
【０００１】
【発明の属する技術分野】
本発明は、清掃用布帛及びこれを装着した清掃具に関し、清掃具との脱着が容易であり、洗濯により繰り返しの使用が可能で、優れた清拭効果を有する清掃用布帛を提供するものである。
【０００２】
【従来の技術】
従来より、清掃用布帛と清掃用具を面ファスナーにより係止する方式は広く採用されており、例えば、清掃用布帛のベース組織中にループパイルを有する繊維糸条を挿入し、該布帛裏面側に面ファスナー雌材を貼着して清掃用布帛として供給し、該布帛を面ファスナー雄材を備えた装着ホルダーに係止して使用するモップが提案されている。
【０００３】
しかしながら、面ファスナーによる係合に関しては雄材と雌材とは適当な組合せが存在し、どのような組合せでも係合が十分であるということではない。
従来の提案においては、装着ホルダー自体に面ファスナー雄材が固定されているため、清掃用布帛の裏面に貼着された雌材との係合性には自由度がなく、換言すれば、清掃用布帛に対しては専用の装着ホルダーが必要であり、使用者は清掃用布帛のみの購入のみならず、専用の装着ホルダーも購入することが要求される。
【０００４】
【発明が解決しようとする課題】
本発明者の目的は、清掃用装着ホルダーの種類を選ぶ必要がなく清掃具と清掃用装着ホルダーとを着脱可能とした清掃用布帛を提供することである。
【０００５】
【課題を解決するための手段】
すなわち本発明は、清掃用基台に装着して使用される清掃用布帛において、該布帛の清掃面（Ａ）と同一面上に面ファスナーの係合部材を有する係合面（Ｂ）が存在し、該係合面（Ｂ）は清掃面（Ａ）に対し、（Ｂ）（Ａ）（Ｂ）の配列状態で形成されてなる清掃用布帛であり、好ましくは係合面（Ｂ）にループパイルを有する上記の清掃用布帛であり、より好ましくは清掃用布帛の地組織中に熱融着繊維が含有されている上記の清掃用布帛である。
さらに本発明は、上記の清掃用布帛が清掃用基台に固定された清掃具であって、係合部（Ｂ）を該清掃用基台の背面へ折り込み、係合面（Ｂ）に対して係合性を有する面ファスナー部材（Ｃ）とが係止することにより、布帛を基台に固定してなる清掃具にである。
【０００６】
【発明の実施の形態】
本発明の清掃用布帛においては、該布帛の清掃面（Ａ）と同一面上に面ファスナーの係合部材を有する係合面（Ｂ）が存在し、該係合面（Ｂ）は清掃面（Ａ）に対し、（Ｂ）（Ａ）（Ｂ）の配列状態で形成されていることが重要であり、かつ係合面（Ｂ）にはループパイルが形成されていることが好ましい。係合面（Ｂ）をループパイルとすることで、清掃用布帛を清掃具へ装着する際に面ファスナー部材（Ｃ）との係合性が十分なものとなる。
尚、係合面（Ｂ）の係合部材は鉤形やきのこ形などのフック状係合素子であってもよく、またループパイルとフック状係合素子との混在タイプであってもよく、市販の面ファスナーテープを貼着してもよいし、布帛中に組織的に形成させても良い。
【０００７】
また面ファスナー部材（Ｃ）は係合面（Ｂ）と係合性されるものであれば、特に限定されるものはなく、例えば鉤形やきのこ形などのフック状係合素子であってもよく、またループパイルとフック状係合素子との混在タイプであってもよく、市販の面ファスナーテープを貼着してもよい。
【０００８】
本発明の清掃用布帛の清掃面（Ａ）に用いる繊維糸条は清掃目的により選定することができる。例えば油分を拭き取る場合には合成繊維からなる極細繊維が効果的であり、多量の水分を拭き取る場合には天然繊維が好適である。しかしながら、これらの繊維を適当に混紡、混繊することにより相乗効果を発揮することが可能である。さらに熱融着繊維を清掃用布帛の組織中に含有することは基布の形状を安定化する点で好適である。
【０００９】
また、上記熱融着繊維は清掃用布帛の地組織中に挿入すると効果的である。本発明の清掃用布帛は清掃用基台からの着脱が可能であるため、繰り返しの洗濯によっても使用できることが消費性能を高めることになるが、このような使用方法において問題となるのは、繰り返しの洗濯によるカーリング（基布の端が巻き上がったり、あるいは反り返ること）が発生することである。
したがって、このような問題を防止するために、本発明の清掃用布帛においては、熱融着繊維を地組織中に挿入することが効果的である。この場合、清掃面に使用する繊維糸条よりも繊度の大きい熱融着性繊維糸条を用いることがより好ましい。
【００１０】
以下、図面を用いて本発明をさらに詳細に説明する。
図１は本発明の清掃用布帛を示す平面模式図である。１は清掃面（Ａ）を示し、２は面ファスナーの係合部材を有する係合面（Ｂ）を示す。清掃面（Ａ）を構成する部分１は少なくともループパイルまたはカットパイルであることを示し、係合面（Ｂ）構成する部分２は面ファスナー雌材としての機能を発現するループパイルを示す。
【００１１】
図２は本発明の清掃用布帛を清掃用装着基台４に被覆して面ファスナー雄材３で係止している状態を示す断面図である。
また、図３は本発明の清掃用布帛を清掃用装着基台６に装着する途中段階を示したものであって、清掃面（Ａ）と係合面（Ｂ）とを境界部で折り込んでいる状態を示す。
【００１２】
このような構造を有する本発明の清掃用布帛は、種々の方法で作製することができ、例えば、長方形など所望の大きさ、形状の布帛中央部には清掃機能をもたせるためのカットパイルを形成させ清掃面（Ａ）とし、その両側に、市販のループを有する面ファスナーテープを縫製又は接着等の手段により布帛の所定箇所に固定することで作製可能である。また、清掃面（Ａ）と係合面（Ｂ）とをファブリックの設計段階で形成するようにしてもよい。例えば、図４は本発明の清掃用布帛を編み立てるための単位編組織図の一例を示したものであって、清掃面（Ａ）をループパイルとして形成する部分５と係合面（Ｂ）を係合用のループパイルとして形成するように組織６が組まれている。そして地糸７を同時に給糸口に挿入して編み立てることになる。
【００１３】
本発明の清掃用布帛は清掃面（Ａ）の両端が係合面（Ｂ）によって挟まれ、かつ係合面（Ｂ）にループパイル糸などの係合部材が形成されており、別途用意された面ファスナー係合部材（Ｃ）と係合させることで、種々の清掃用装着ホルダーに簡単に装着することが可能である。
【００１４】
【実施例】
以下、実施例により本発明をより詳細に説明するが、本発明は本実施例により何等限定されるものではない。なお以下の実施例において、捲縮率は以下の方法にて測定した。
【００１５】
［実施例１］
（１）繊維糸条の製造
６−ナイロンとポリエチレンテレフタレートからなる分割型複合繊維〔ＷＲＡＭＰ（登録商標）；（株）クラレ製〕から構成される１６５ｄｔｅｘ／４８フィラメントのマルチフィラメントを仮撚数２５５０Ｔ／Ｍ、１段ヒーター温度１９０℃、２段ヒーター温度１７０℃の条件にて仮撚加工を施し、捲縮率が２２％となる仮撚糸を得た。
次いでインターレースノズル〔クラレエンジニアリング（株）製〕を用いて、上記の仮撚加工糸２本を引き揃えて、エア圧２．３ｋｇ／ｃｍ２、加工速度２５０ｍ／ｍｉｎにより３３０ｄｔｅｘ／９６フィラメントの混繊糸を得た。
【００１６】
（２）編地の製造
口径が３０インチ、２０ゲージのシンカーパイル編機を用いて、パイル高さが４．０ｍｍ〔清掃面（Ａ）部を形成〕と２．０ｍｍ〔係合面（Ｂ）部を形成〕である二段パイルとなるように図４に示した組織を形成して、上記（１）で得た３３０ｄｔｅｘ／９６フィラメントの混繊糸を供給した。また、地糸には１６５ｄｔｅｘ／４８フィラメントの熱融着繊維〔（株）クラレ製「ソフィスタ」（登録商標）〕を挿入して図１に示すような編地を得た。次いで得られた編地をシャーリング機によりパイル高さが４．０ｍｍであるパイルループのみをカットしてベロア地とし、１７０℃でセットして本発明の清掃用布帛を得た。
【００１７】
上記実施例１で得られた布帛を裁断して図１の形状になるようにして、面ファスナー部材（Ｃ）として（株）クラレ製　マジックテープ（登録商標）〔品番「Ａ１７０５−００」〕を使用した清掃具を作製し、着脱、洗濯を１サイクルとする操作を１００回繰り返したところ、カールもなく、良好な外観を維持し、耐久性に優れるものであった。
【００１８】
［比較例１］
地糸に挿入する繊維として１６７ｄｔｅｘ／４８フィラメントのレギュラーポリエステル繊維〔（株）クラレ製「クラベラ」（登録商標）〕を挿入した以外は実施例１と同様にして編地を得た。
得られた布帛を裁断して図１の形状になるようにして、清掃具を作製し、着脱、洗濯を１サイクルとする操作を行ったところ、１回の洗濯により端部にカーリングが生じた。
【００１９】
【発明の効果】
本発明のような構造をもつ清掃用布帛は、清掃用装着ホルダーの種類とは無関係に清掃用装着ホルダーに容易に着脱可能である。また本発明の清掃用布帛は着脱、洗濯を繰り返し行ってもカールが発生しにくく、しかも良好な外観を維持され、耐久性に優れたものとなる。
【図面の簡単な説明】
【図１】本発明の清掃用布帛を示す平面模式図。
【図２】本発明の清掃用布帛を清掃用装着基台に装着した時の断面図。
【図３】本発明の清掃用布帛を清掃用装着基台に装着する途中段階を示す斜視図。
【図４】本発明の清掃用布帛を編み立てるための単位編組織の一例を示す図。
【符号の説明】
１：清掃面（Ａ）
２：係合面（Ｂ）
３：面ファスナー部材（Ｃ）
４：清掃用装着基台
５：清掃面（Ａ）のパイル糸
６：係合面（Ｂ）のパイル糸
７：地糸
【図１】
2004041603.tif 000003
【図２】
2004041603.tif 000004
【図３】
2004041603.tif 000005
【図４】
2004041603.tif 000006